(57)【要約】【課題】駅のプラットホームや通路、階段等において、路面上の人間に注意を喚起すること。【解決手段】駅のプラットホーム等の路面に敷設される注意喚起のための標示用踏み板であって、路面上の所定位置に敷設されるシート材と、該シート材の下に設けられる振動発生手段と、該振動発生手段を駆動するための駆動手段とを備えており、該振動発生手段で発生する振動を上記シート材を介して該シート材上の人間の足に伝達させるようにする。あるいは、上記シート材の下に該シート材上の人間の重量により所定の音を発生する警報発生手段を設ける。【選択図】図３
2004162494.tif 000002
【特許請求の範囲】
【請求項１】
駅のプラットホーム等の路面に敷設される注意喚起のための標示用踏み板であって、路面上の所定位置に敷設されるシート材と、該シート材の下に設けられる振動発生手段と、該振動発生手段を駆動するための駆動手段とを備え、該振動発生手段で発生する振動を上記シート材を介して該シート材上の人間の足に伝達させることにより、該人間に注意を喚起することを特徴とする標示用踏み板。
【請求項２】
駅のプラットホーム等の路面に敷設される注意喚起のための標示用踏み板であって、路面上の所定位置に敷設されるシート材と、該シート材の下に設けられ該シート材上の人間の重量により所定の音を発生する警報発生手段とを備えたことを特徴とする標示用踏み板。
【発明の詳細な説明】
【０００１】
【発明の属する技術分野】
本発明は、駅のプラットホームや通路、階段等において、路面上の人間に注意を喚起するために敷設される標示用踏み板に関する。
【０００２】
【従来の技術】
駅のプラットホームにおいては、人間の線路上への落下を防止するため、白又は黄色等で着色されたシート又はブロックからなる標示用の踏み板が、プラットホームの端部に沿って長く敷設されている。特に盲人用のものにあっては、その上面に凹凸が形成されており、足裏でこの凹凸を感知することによりその位置を判断することができる。同様のものは階段や廊下等にも敷設され、盲人を案内するために活用されている。
【０００３】
このような標示用踏み板、又はそれに類似する技術としては、例えば下記の文献に示される技術がある。
【特許文献１】
特開昭５５−９２４１０号公報
【特許文献２】
特開２０００−２２６８１８号公報
【０００４】
【発明が解決しようとする課題】
本発明は、従来の標示用踏み板の機能を更に高めることによって、その上を歩く人間、特に盲人の安全を確保できるようにすることを目的とする。
【０００５】
【課題を達成するための手段】
上記した目的を達成するため、第１の発明として、駅のプラットホーム等の路面に敷設される注意喚起のための標示用踏み板であって、路面上の所定位置に敷設されるシート材と、該シート材の下に設けられる振動発生手段と、該振動発生手段を駆動するための駆動手段とを備え、該振動発生手段で発生する振動を上記シート材を介して該シート材上の人間の足に伝達させることにより、該人間に注意を喚起することを特徴とする標示用踏み板を提供する。
【０００６】
上記第１の発明を採用することにより、人間はシート材から伝わる振動によってその立っている位置を容易に知ることができる。従来のような単なる凹凸では、その位置を感知することが必ずしも容易ではないが、この第１の発明によれば、特に注意を払っていなくても振動によってその位置を確実に判断することができるため、特に盲人にとっては極めて安全である。
【０００７】
この第１の発明におけるシート材は、樹脂又はゴム、あるいは金属により製造でき、必ずしも薄板状のものでなくても良いが、人間の足で直接踏まれるためこれに耐えるだけの強度又は耐久性が必要であり、またその上面は盲人以外の人に注意を喚起するため白又は黄色に着色されているのが好ましい。また該シート材は振動伝達性の良いものが好ましいが、従来のような凹凸を特に要しないため、製造及び清掃が容易となる利点がある。
【０００８】
また第１の発明における振動発生手段は、電気により駆動されて振動を生じる公知のものでよい。上記駆動手段は振動発生手段のそれぞれに設けても良いが、複数の振動発生手段に対し共通の駆動手段を設け、これら複数の振動発生手段を同時に駆動するようにすることができる。また駆動手段は振動発生手段を常時駆動して振動発生させていても良く、また上記シート材の上に人間が乗ったときのみ該人間の重量を検知して振動を発生させるようにしても良い。駆動手段は振動発生手段に例えば電気を供給する電源であり、シート材や振動発生手段に近い適当な場所に設置できる。
【０００９】
また第２の発明として、駅のプラットホーム等の路面に敷設される注意喚起のための標示用踏み板であって、路面上の所定位置に敷設されるシート材と、該シート材の下に設けられ該シート材上の人間の重量により所定の音を発生する警報発生手段とを備えたことを特徴とする標示用踏み板を提供する。
【００１０】
上記第２の発明を採用することにより、人間は警報発生手段から発生する音によってその立っている位置を容易に知ることができる。従ってこの第２の発明によれば、音によってその位置を確実に判断することができるため、前記第１の発明と同様に、盲人にとっては極めて安全である。
【００１１】
この第２の発明における警報発生手段は、例えばブザーなどの電気を用いた手段であり、笛のように空気の圧縮により音を発する手段であり、金属の変形又は衝突により音を発する手段であり、あるいは自動的にアナウンスを発する手段であって良い。
【００１２】
警報発生手段が上記した笛である場合は、これをシート材の下に設置しておくことにより、該シート材の上に人間が立てば、その重量により笛が圧縮されて所定の音を発することができる。また警報発生手段が上記ブザー等のように電気的手段である場合は、人間の重量を感知するセンサ又はスイッチをシート材の下に設置しておくことにより、該シート材の上に人間が立てば、その重量によりスイッチ等が閉じ上記ブザーに電気を流して音を発することができる。
【００１３】
【発明の実施の形態】
本発明の第１の実施の形態を図１乃至図４で説明する。１は駅のプラットホーム２の線路近くの路面３上の位置に１列に並べて多数埋設された平面視四角形の板状のゴム材である。該ゴム材１にはその上面の略中央に並列方向に沿って凹溝４が形成されており、該凹溝４内に長尺の振動発生器５が収納されている。
【００１４】
該振動発生器５はその長手方向即ちゴム材１の並列方向に沿って、該ゴム材１の略３枚分の長さを有しており、隣接する振動発生器５同士がリード線６を介してそれぞれ互いに接続されている。上記路面３とゴム材１の上面と振動発生器５の上面とは互いに略同一平面となるように設けられており、その上面に多数の樹脂製薄板状のシート材７が接着剤を介して接合されることにより、１直線状に敷設されている。該シート材７は平面視において上記ゴム材１と同一形状であり、その上面即ち人間の足によって踏まれる部分には、該人間に視覚的に注意を促すため白又は黄色に着色されている。
【００１５】
上記振動発生器５は図４に示すように上記リード線を介して多数直列に接続され、該リード線に接続された電源装置８によって電気的に駆動される。電源装置８と各振動発生器５との間にはスイッチ９が設けられている。各振動発生器５は公知のバイブレータであり、電源装置８により一斉に駆動されて上下方向に振動を発生し、上記シート材７を振動させる。
【００１６】
上記した第１の実施形態の作用について次に説明する。駅の営業時間の間、該駅の作業員によって上記スイッチ９が閉じられる。従ってこの間、電源装置８は各振動発生器５に対し常時電力を供給しており、従って各振動発生器５は常時振動を発生している。列車に搭乗しようとする客、即ち人間が該駅のプラットホーム２のシート材７上に立てば、該シート材７の振動が該人間の足裏に伝達される。これによって該人間はその立っている場所が線路に近い危険な位置であることを容易に判断できる。この第１の実施形態によれば、危険を音声でなく振動によって知らせるため、騒音の多い地下鉄のプラットホームなどにおいて、特に有効である。また図書館や博物館のような静かな施設において、これを通路や階段等の床面に沿って盲人用誘導路として設置すれば、音声を用いないため周囲の人々に迷惑を及ぼすことがない。
【００１７】
前記したようにシート材７の上面には白又は黄色の着色が施されているため、人間は通常の注意を払えば該シート材７の存在を確認できるが、ついうっかり該シート材７の上に立ってしまっていることがある。このような場合にも、シート材７が振動を発することにより該人間に充分な注意を促すことができる。特に盲人の場合にはシート材７の存在を色によって判別できないが、該シート材７が振動することによって容易に判別できる。
【００１８】
振動発生器５はその上面をシート材７によって、また上面を除く周囲をゴム材１によって覆われているため、振動音は充分に吸収される。またシート材７上を人間が歩いてもその重量をゴム材１が吸収するため、振動発生器５が破損を生じることはない。なお、本実施形態では振動発生器５を長尺とすることによって３つのシート材７に共通に適用してあるが、この振動発生器５を小型化して個々のシート材７ごとに個別に設けても良い。また本実施形態ではゴム材１と振動発生器５とのみを路面内に埋設してあるが、シート材７をも一体的に埋設するようにしても良い。シート材７は樹脂に限らず、ゴム又は金属等を用いることも可能であり、その選択は振動の伝達度合いや振動音の大小に応じて実行することができる。またシート材７と振動発生器５とは必ずしも別体である必要はなく、互いに一体に形成されていても良く、振動発生器５を収納するケースの上面をもってシート材７としても良い。
【００１９】
次に、本発明の第２の実施形態について説明する。この第２の実施形態は前述した第１の実施形態に比べ、図１乃至図３の振動発生器５の代わりに音発生器１５を設け、リード線６の接続を一部変更したものであり、その他は変わりがない。従って以下の第２の実施形態の説明においては、図１乃至図３における振動発生器５を音発生器１５、またリード線６をリード線１６とそれぞれ読み替えることにより、また図４の代わりに、これに相当する図５を用いることによって説明する。
【００２０】
図５に示すように、第２の実施形態の各音発生器１５はリード線１６によって互いに並列に接続されたうえで前記電源装置８及びスイッチ９に接続されている。また各音発生器１５の内部にはスピーカを含む発声器２１とスイッチ２２とが直列接続されており、該スイッチ２２は前記シート材７の上に人が乗ったときにその重量によって回路を閉じ、上記発声器２１に電源８からの電力を供給するようになっている。また発声器２１は通電によって所定の音声「危険ですから下がってください」を、上記スイッチ２２が閉じている間だけ、繰り返し流す装置である。
【００２１】
上記した第２の実施形態の作用について説明する。人間が駅のプラットホーム２のシート材７上に立てば、その体重によって上記スイッチ２２が閉じ、「危険ですから下がってください」という音声が発声器２１から流れるため、これによって人間はその立っている場所が線路に近い危険な位置であることを容易に判断できる。この音声は踏んでいるシート材７の下からのみ流れるため、当該人間は他人でなく自分が危険な位置にいることを容易に判断できる。
【００２２】
この第２の実施形態において、前記スイッチ９は当該プラットホームにおける列車の有無と連動させておくのが好ましい。即ち、プラットホームにおける列車の有無を検出する列車検出装置を設けておき、列車が存在しないときのみ上記スイッチ９が閉じるようにしておけば、該列車への乗客の乗り降りの際に上記音声が流れることはなく、乗り降り時以外の必要な場合にのみ上記音声が流れるので無駄な騒音の発生を防止できる。発声器２１は必ずしもシート材７の下に設ける必要がなく、これを該シート材７の近傍の適当な場所に設置するようにしても良い。また発声器２１は必ずしも各シート材７のそれぞれに設ける必要がなく、複数のシート材７に対して１つの発声器２１を設けるようにしても良い。更に発声器２１は、上記したような人間のアナウンスでなく、単なる「ポーン」というような音を発するものであっても良い。
【００２３】
更に、本発明の第３の実施形態について説明する。この第３の実施形態は前述した第２の実施形態に比べ、リード線１６や電源装置８等の電気的手段を一切不要としたものである。即ち、図３の凹所４内に、図６に示すような警報発生手段としての音発生器を設ける。この音発生器は互いに向き合う２枚の金属板３１，３１からなり、その一方はシート材７に、他方はゴム材１に、それぞれ貼着される。両金属板３１，３１の中央の互いに対向する面には小さな隙間を残して円形の凸部がそれぞれ形成されており、シート材７上に人間が足を載せれば、その体重でシート材７が撓み、両金属板３１，３１の凸部同士が衝突して「カチン」というような高い金属音を発生する。これによって人間はその立っている場所が線路に近い危険な位置であることを容易に判断できる。
【００２４】
【発明の効果】
以上説明したように本発明によれば、駅のプラットホームの線路近傍のような危険な位置を人に確実に知らせることができ、また通路や階段等に沿って盲人の誘導もできるので、極めて有用である。なお本発明は前記した例に限らず、様々な設計変更が可能であって、その趣旨を逸脱しない範囲における全ての実施形態を包含するものである。例えば前記第１の実施形態における振動を電気的手段以外の手段を用いて発生させるようにしても良く、また前記第３の実施形態における音発生器１５のうち発声器２１をシート材７の外（シート材７の下でなく該シート材７から離れた位置）に設けることも可能であり、更に前記第３の実施形態における音を笛の如き手段を用いて発生させても良い。
【００２５】
【図面の簡単な説明】
【図１】本発明の第１の実施形態に係る踏み板を示す平面図。
【図２】本発明の第１の実施形態に係る踏み板を示す縦断側面図。
【図３】本発明の第１の実施形態に係る踏み板を示すＡ−Ａ線断面図。
【図４】本発明の第１の実施形態に係る踏み板の回路図。
【図５】本発明の第２の実施形態に係る踏み板の回路図。
【図６】本発明の第３の実施形態に係る踏み板を示す図３相当の断面図。
【符号の説明】
７    シート材
５    振動発生器（振動発生手段）
１５  音発生器（警報発生手段）
２１  発声器
３１  金属板
【図１】
2004162494.tif 000003
【図２】
2004162494.tif 000004
【図３】
2004162494.tif 000005
【図４】
2004162494.tif 000006
【図５】
2004162494.tif 000007
【図６】
2004162494.tif 000008